(57)【要約】【課題】サービスを利用する対象者に好適なストーリーを検索することを目的とする。【解決手段】ストーリー検索用データベースは、ストーリーが備えるストーリー情報を備え、このストーリー情報に対して属性情報を設定する。ストーリー検索用データベースにおいて、格納するストーリー情報にはそれぞれ属性情報が付されているため、この属性情報を検索キーとすることで検索自在とすることができる。ストーリー検索用データベース作成装置は、ストーリー検索用データベースを記憶する記憶手段と、ストーリー情報及び属性情報をストーリー検索用データベースに格納するデータ管理手段とを備え、ストーリー検索装置は、ストーリー検索用データベースを構成する記憶手段と、属性情報を検索キーとして用いて記憶手段から属性情報が付されたストーリー情報を読み出し、得られた検索結果を端末手段に出力する検索手段とを備える。【選択図】　図１
2004062654.tif 000002
【特許請求の範囲】
【請求項１】
ストーリーが備えるストーリー情報を、
前記ストーリー情報に付随して設定した属性情報と共に、当該属性情報を検索キーとして当該属性情報が付されたストーリー情報を検索自在に格納することを特徴とするストーリー検索用データベース。
【請求項２】
前記ストーリー情報は、
少なくともストーリーのタイトルデータを備え、
さらに、当該ストーリーのあらすじデータ、登場人物データ、せりふデータ、背景データ、音楽データの各データの少なくとも一つを選択的に備え、
前記あらすじデータ及びせりふデータは文字データ及び／又はサウンドデータであり、
前記音楽データは音楽タイトル又は歌詞の文字データ、及び／又はサウンドデータであり、
前記登場人物データは登場人物名の文字データ、登場人物や物の画像データ、登場人物の音声データの少なくとも何れか一つであり、
前記背景データは画像データ及び／又はサウンドデータであり、
前記属性情報は感覚要素及び対象者要素を備えると共に、ストーリーが含まれるジャンルを選択的に備え、
前記感覚要素はストーリー鑑賞者がストーリー情報から得る感覚に係わり、前記対象者要素はストーリー鑑賞者の年代及び／又は性別を含むことを特徴とする、請求項１に記載のストーリー検索用データベース。
【請求項３】
前記感覚要素はストーリー鑑賞者が感ずる感覚の程度を表す重み付け情報を含むことを特徴とする、請求項２に記載のストーリー検索用データベース。
【請求項４】
請求項１乃至３の何れか一つに記載のストーリー検索用データベースを記憶する記憶手段と、
ストーリー情報、及び属性情報を前記記憶手段に格納するデータ管理手段とを備えることを特徴とする、ストーリー検索用データベース作成装置。
【請求項５】
前記ストーリー検索用データベースの記憶手段とデータ管理手段をネットワーク上のサーバに設けたことを特徴とする、請求項４に記載のストーリー検索用データベース作成装置。
【請求項６】
請求項１乃至３の何れか一つに記載のストーリー検索用データベースを記憶する記憶手段と、
端末手段から入力した属性情報を検索キーとして用いて、前記記憶手段に記録されるストーリー検索用データベースから当該属性情報が付されたストーリー情報を読み出し、読み出した検索結果を端末手段に出力する検索手段とを備えることを特徴とする、ストーリー検索装置。
【請求項７】
感覚要素、対象者要素、ジャンルの少なくとも一つの属性情報を検索キーとして用いることを特徴とする、請求項６に記載のストーリー検索装置。
【請求項８】
ストーリー検索用データベースに基づいて、対象者要素に対する感覚要素及び／又はジャンルの対応関係を形成し、
検索により読み出した複数のストーリーと求めるストーリーとの間において、同一の対象者要素に対して属性情報が一致する個数の総和、又は、重み付けの差の総和を求め、当該総和の値に基づいて複数のストーリーの中から求めるストーリーに類似したストーリーを選出することを特徴とする、請求項６又は７に記載のストーリー検索装置。
【請求項９】
ストーリー検索用データベースに基づいて、選択した属性情報と対象者要素との間に重み付けによる対応関係を形成し、
検索により読み出した複数のストーリーと求めるストーリーとの間において、前記対応関係と選択した対象者要素との行列演算により選択した感覚要素の評価値を求め、
当該評価値に基づいて複数のストーリーの中から求めるストーリーに類似したストーリーを選出することを特徴とする、請求項６又は７に記載のストーリー検索装置。
【請求項１０】
前記ストーリー検索用データベースの記憶手段と検索手段をネットワーク上のサーバに設けたことを特徴とする、請求項６乃至９の何れか一つに記載のストーリー検索装置。
【発明の詳細な説明】
【０００１】
【発明の属する技術分野】
本発明は、複数のストーリーの中から所定の条件を満たすストーリーの検索に関し、このストーリー検索に用いるストーリー検索用データベース、ストーリー検索用データベース作成装置、ストーリー検索装置に関する。
【０００２】
【従来の技術】
サービスの提供において、より多くの利用者に利用してもらうには、利用者に対して関心や興味を抱かせる必要がある。この利用者に対して関心や興味を持たせる一要素としてストーリー性があると考えられる。例えば、遊技機においても、他の遊技機との差別化を行う上でストーリー性は大きな一要件となり、また、そのストーリーから得られるキャラクタは、遊技の告知、操作補助、抽選、当たり、デモンストレーション、一般表示等に利用することもできる。
【０００３】
従来、どのようなストーリーが利用者の関心や興味を引くかを把握することは難しく、通常、サービス提供者が試行錯誤的に行わざるを得ない。そのため、あるヒットしたストーリーと類似するストーリーを用いる場合もある。このような二番煎じ的なストーリーでは、遊技機等に独自性を持たせることはできない。
【０００４】
【発明が解決しようとする課題】
したがって、ストーリー性は、利用者の年齢層、性別、職業等の種々の条件により好みが異なり、また、そのストーリー自体から得られる印象も様々であるため、サービス提供者側が推測するには限界があり、ヒットするストーリーを探すことは困難な状況にある。
【０００５】
サービス提供者にとっては、より多くの利用者に好まれるストーリーを検索すること、また、サーバの利用を受ける対象者に的確に適したストーリーを検索することが望まれている。
【０００６】
そこで、本発明は、前記した課題を解決して、サービスを利用する対象者に好適なストーリーを検索することを目的とする。
【０００７】
【課題を解決するための手段】
本発明は、複数のストーリーの中からサービスを利用する対象者に好適なストーリーの検索に係わり、ストーリー検索に用いるストーリー検索用データベースの形態、このストーリー検索用データベースを作成するストーリー検索用データベース作成装置の形態、及びこのストーリー検索用データベースを用いたストーリー検索装置の各装置形態により実現することができる。
【０００８】
本発明の一形態であるストーリー検索用データベースは、ストーリーが備えるストーリー情報を備える。そして、このストーリー情報に対して属性情報を設定する。本発明のデータベースにおいて、格納するストーリー情報にはそれぞれ属性情報が付されているため、この属性情報を検索キーとすることで検索自在とすることができる。
【０００９】
ストーリー情報は、ストーリー自体に含まれるものであり、少なくともストーリーのタイトルデータを備える。さらに、あらすじデータ、登場人物データ、せりふデータ、背景データ、音楽データを選択的に備えるようにしてもよい。
【００１０】
ここで、あらすじデータはストーリーの概略を表すデータであり、せりふデータはストーリーにおいて良く知られたせりふのデータであり、文字データやサウンドデータとすることができる。また、背景のデータはストーリーにおいて良く知られた風景の画像データ、あるいはバックグラウンドミュージックのサウンドデータとすることができる。
【００１１】
登場人物データは、ストーリーに現れる人物や物のデータであり、登場人物名や登場する物の文字データ、登場人物や登場する物の画像データ、登場人物の音声データや登場する物が出す音データとすることができる。音楽データはテーマ音楽等のストーリーにおいて良く知られた音楽のデータであり、音楽タイトル又は歌詞の文字データやサウンドデータとすることができる。
【００１２】
属性情報は、感覚要素及び対象者要素を備える。感覚要素は、心情や思い等のストーリー鑑賞者の感覚による得られるものであり、例えば、人情、正義、忠義、友情等、様々な精神活動や感情に基づく感覚により得られる。
【００１３】
なお、感覚要素はストーリー鑑賞者が感ずる感覚の程度を表す重み付け情報を含むようにしてもよい。この重み付け情報を付加することで、ストーリー情報に同じ属性情報が付されている場合であっても、各ストーリーを区別して好適なストーリーあるいはストーリー情報を検索することができる。重み付け情報は、例えば、所定範囲内に設定する数値やファジイ関係式におけるメンバーシップ関数で表すことができる。
【００１４】
対象者要素は、ストーリー検索を行う対象者を区分する要素であり、例えば、年齢層、性別、職業等がある。
【００１５】
また、属性情報として、ストーリーが含まれるジャンルとすることができる。ストーリーのジャンルとしては、例えば、喜劇、悲劇、冒険、勧善懲悪等とすることができる。
【００１６】
なお、属性情報は、ストーリーに対して付与する他、ストーリーが備えるストーリー情報に対して付与するようにしてもよく、ストーリー情報に対して付与することにより、各ストーリー情報を単位として検索することができる。
【００１７】
本発明の第２の形態は、上記したストーリー検索用データベースを作成するためのストーリー検索用データベース作成装置である。
【００１８】
このストーリー検索用データベース作成装置は、ストーリー検索用データベースを記憶する記憶手段と、トーリー情報及び属性情報をストーリー検索用データベースに格納するデータ管理手段とを備える構成とする。
【００１９】
ストーリー検索用データベースを作成するには、データ格納を行おうとするストーリーを解析してストーリー情報と属性情報を求め、求めたストーリー情報と属性情報を、データ管理手段によりストーリー検索用データベースの記憶手段に格納する。
【００２０】
ストーリーの解析は、ストーリー情報の解析と属性情報の解析の２種類の解析を含む。ストーリー情報の解析は、そのストーリーからタイトル、あらすじ、登場人物、せりふ、背景、音楽等の各データを抽出する。また、属性情報の解析は、例えば、年齢層や性別等に対象者要素毎に、ストーリーに対する感覚要素を解析して求める。属性情報の解析は、例えばアンケート等の手法で行うことができる。
【００２１】
本発明の第３の形態は、上記したストーリー検索用データベースを用いたストーリー検索装置である。
【００２２】
このストーリー検索装置は、ストーリー検索用データベースを構成する記憶手段と、属性情報を検索キーとして用いて記憶手段から属性情報が付されたストーリー情報を読み出し、得られた検索結果を端末手段に出力する検索手段とを備える構成とする。属性情報の入力及び検索結果の出力は、端末手段により行うことができる。
【００２３】
ストーリー検索を行うには、感覚要素、対象者要素、入力手段からジャンルの少なくとも一つの属性情報を検索キーとして入力し、検索手段により記憶手段からその属性情報が付されたストーリー情報を抽出する。属性情報は、感覚要素、対象者要素、ジャンルから一つを選ぶことも、あるいは任意の個数の要素やジャンルを選択して組み合わせることもできる。また、感覚要素、対象者要素、ジャンルの中の一つの要素を検索キーとすることも、あるいは任意の複数の要素を組み合わせて検索キーとすることもできる。
【００２４】
ストーリー検索装置により複数のストーリー情報が検索される場合がある。この場合には、得られた複数のストーリー情報から、求めるストーリー情報に近いストーリー情報を選出することができる。
【００２５】
このストーリー情報の選出の第１の態様は、ストーリー検索用データベースに基づいて、対象者要素に対する感覚要素及び／又はジャンルの対応関係を形成し、検索により読み出した複数のストーリーと求めるストーリーとの間において、同一の対象者要素に対して感覚要素やジャンルが一致する個数の和、又は、重み付けの差の総和を求め、求めた総和に基づいて複数のストーリーの中から求めるストーリーに類似したストーリーを選出する。
【００２６】
重み付けは、より重要と考える属性情報の比率を高くするなどの設定により行うことができる。
【００２７】
この態様によれば、一致する個数や重み付けした値が大きい程、求めるストーリー情報との類似度が高いと判断することができる。
【００２８】
また、このストーリー情報の選出の第２の態様は、ストーリー検索用データベースに基づいて、選択した感覚要素やジャンル等の属性情報と対象者要素との間に重み付けによる対応関係を形成し、検索により読み出した複数のストーリーと求めるストーリーとの間において、この対応関係と選択した対象者要素との行列演算により選択した属性情報による評価値を求め、求めた評価値に基づいて複数のストーリーの中から求めるストーリーに類似したストーリーを選出する。
【００２９】
データベース中に格納する属性情報中に含まれる感覚要素やジャンルに重み付け情報を付加しておき、属性情報に付された重み付けの程度に応じて類似度の程度を判断する。
【００３０】
ストーリー検索用データベース作成装置及びストーリー検索装置において、ストーリー検索用データベースを記憶する記録手段と、データ管理手段及び検索手段をネットワーク上に設け、データ管理手段にストーリー情報や属性情報を入力する入力手段や、検索手段に検索キーを入力したり検索した検索結果を出力する端末手段をネットワークを介して接続する構成としてもよい。
【００３１】
また、ストーリー検索用データベース作成装置に用いる入力手段と、ストーリー検索装置に用いる端末手段とを共通装置とすることができる。これにより、ストーリー検索用データベース作成装置とストーリー検索装置とを一つの装置で構成するようにしてもよい。
【００３２】
【発明の実施の形態】
以下、本発明の実施の形態について、図を用いて詳細に説明する。
図１は本発明によるストーリー検索用データベース、ストーリー検索用データベース作成装置、及びストーリー検索装置の概略を説明するためのブロック図である。
【００３３】
ストーリー検索用データベース１は記憶手段に格納され、データベース管理システム（ＤＢＭＳ２）によりデータ管理が行われる。ストーリー検索用データベース１とＤＢＭＳ２は、データベースサーバ３の形態で構成することができ、インターネット１０やＬＡＮ等上に設けることができる。
【００３４】
ストーリー検索用データベース作成装置５（図１中の破線で囲む部分）はデータベースサーバ３とデータ管理手段４を備え、データ管理手段４は入力手段１２（１２ａ，１２ｂ）から入力した解析データをストーリー検索用データベースに適応したデータ形式に変換し、データベースサーバ３に入力する。入力手段１２とストーリー検索用データベース作成装置５との間は、インターネット１０を介して接続する構成とすることも、ＬＡＮ１１を介して接続する構成とすることもできる。
【００３５】
解析データは、ストーリーを解析して得られるストーリー情報、及びストーリー情報に付随して設定する属性情報であり、データ管理手段４はこのストーリー情報と属性情報を各ストーリーの情報として格納しストーリー検索用データベースを作成する。
【００３６】
ストーリー検索装置７（図１中の一点鎖線で囲む部分）は、データベースサーバ３と検索手段６を備え、検索手段６は端末手段１３（１３ａ，１３ｂ）から入力した検索キーに基づいてストーリー検索用データベース１を検索し、ストーリー検索用データベース１から検索した検索結果を端末手段に出力する。端末手段１３とストーリー検索装置７との間は、インターネット１０を介して接続する構成とすることも、ＬＡＮ１１を介して接続する構成とすることもできる。検索手段は、検索キーとなる属性の項目情報を備えており、この属性の項目情報を端末手段に出力することにより、検索キーを設定することができる。
【００３７】
なお、データベースサーバ３に、データ管理手段４及び検索手段６を設けることにより、ストーリーデータベース作成装置とストーリー検索装置とを一装置で構成することもできる。
【００３８】
次に、本発明のストーリー検索用データベースのデータの構成について、図２，３を用いて説明する。
【００３９】
本発明のストーリー検索用データベースが格納する情報は、主にストーリー情報と属性情報に分けることができる。ストーリー情報と属性情報はストーリーを解析することで求めることができ、ストーリー情報はストーリー自体に含まれるものであり、属性情報はストーリー情報に対して設定される。本発明のストーリー検索用データベースは、ストーリー情報に属性情報が付随させて格納する構成により、この属性情報を検索キーとすることで検索自在とすることができる。
ストーリー情報は、ストーリー自体が備える情報であり、ストーリーのタイトルデータの他、あらすじデータ、登場人物データ、せりふデータ、背景データ、音楽データとすることができる。あらすじデータ、登場人物データ、せりふデータ、背景データ、音楽データは、必要に応じて、あるいはそのストーリーやストーリーの出典元から選択的に引用することができる。また、これらデータに限らず他のデータを選択することもできる。なお、これらのストーリー情報は、ストーリーを解析することで取得することができる。
【００４０】
ここで、あらすじデータはストーリーの概略を表すデータであり、せりふデータはストーリーにおいて良く知られたせりふのデータである。あらすじデータやせりふデータは、文字データやサウンドデータとすることができる。
【００４１】
また、背景のデータはストーリーにおいて良く知られた風景の画像データ、あるいはバックグラウンドミュージックのサウンドデータとすることができる。
【００４２】
登場人物データは、ストーリーに現れる人物のデータであり、登場人物名の文字データ、登場人物の画像データ、登場人物の音声データとすることができる。
音楽データはテーマ音楽等のストーリーにおいて良く知られた音楽のデータであり、音楽タイトル又は歌詞の文字データやサウンドデータとすることができる。
【００４３】
これらデータの内、画像データ，音声データ，サウンドデータは、解析に用いたストーリーの出典に載せられている画像や音源を用いることができる。
【００４４】
一方、属性情報はストーリーに付随する情報であって、感覚要素や対象者要素やジャンル情報である。
【００４５】
感覚要素は、ストーリー鑑賞者の感覚による得られる心情や思い等であり、例えば、人情、正義、忠義、気っぷの良さ、あこがれ、世界観、熱血漢、友情、夢など、様々な精神活動や感情に基づく感覚により得られる要素である。なお、この要素は一例であり、他の要素とすることもできる。
【００４６】
対象者要素は、ストーリー検索を行う対象者を区分する要素であり、例えば、年齢層、性別、職業、学歴、地域等がある。
【００４７】
ジャンル情報はストーリーが含まれる分野であり、例えば、喜劇、悲劇、冒険、勧善懲悪、時代劇、サクセスストーリー、スポーツ等がある。
【００４８】
図２は、ストーリー検索用データベースの一例を示している。なお、図２に示す例は、データベースが備えるデータ例を示すものであり、データ構造を示すものではない。
【００４９】
図２中のストーリー番号Ｎｏ．１はシンドバットの例を示しており、ストーリー情報中に「シンドバット」のタイトルデータを格納する他、あらすじデータ、「シンドバット」に登場するキャラクタ（人物（例えば、シンドバット）や物（絨毯））の画像データや音データ、良く知られたせりふがある場合にはそのせりふデータ、良く知られた背景がある場合にはそのシーンの画像データを格納することができる。
【００５０】
また、属性情報中に、ジャンルとして冒険や、海，空を格納し、感覚要素として夢を格納し、対象者要素としてストーリーに関心を持つ年齢層及び性別の他、職業、学歴、地域等を格納する。
【００５１】
なお、属性情報は、ストーリーに対して付与する他、ストーリーが備えるストーリー情報に対して付与するようにしてもよく、ストーリー情報に対して付与することにより、各ストーリー情報を単位として検索することができる。
【００５２】
また、感覚要素はストーリー鑑賞者が感ずる感覚の程度を表す重み付け情報を含むようにしてもよい。この重み付け情報を付加することで、ストーリー情報に同じ属性情報が付されている場合であっても、各ストーリーを区別して好適なストーリーあるいはストーリー情報を検索することができる。重み付け情報は、例えば、所定範囲内に設定する数値やファジイ関係式におけるメンバーシップ関数で表すことができる。
【００５３】
図３は、属性情報をストーリー情報を単位として付与し、また、各感覚要素に重み付け情報を付加したデータベース例を示している。
【００５４】
図３において、ストーリーに対して熱血漢や情熱といった感覚要素を付与する他、例えば、ストーリー情報の一つであるキャラクタとしてキャラクタＡ，キャラクタＢ，キャラクタＣ，…がある場合には、キャラクタＡに対して熱血漢の感覚要素を付与し、キャラクタ各Ｂに対して熱血漢と情熱の感覚要素を付与することができる。
【００５５】
また、各年代層と性別の組み合わせ毎に感覚要素を設定することもできる。このとき、各年代層や性別に対応して設定した各感覚要素に対して重み付けを行うことができる。重み付けは、例えば、大，中，小といった段階で設定することができる。例えば、１０代及び２０代の男性に設定される熱血漢に対して「大」の重み付けを付与し、１０代の女性に設定される熱血漢に対して「小」の重み付けを付与する。
【００５６】
この重み付けは、検索キーのみで多数の検索結果は得られ、検索キーのみではストーリーの絞り込みが難しい場合に、検索キーである感覚要素に付与した重み付けを用いることにより、ストーリーやストーリー情報の絞り込みを行うことができる。
【００５７】
次に、本発明のストーリー検索用データベースによるデータ蓄積動作と、検索動作について説明する。
【００５８】
ストーリー検索用データベースへのデータ蓄積について、図４に示すフローチャートを用いて説明する。
【００５９】
ストーリー検索用データベースに格納するストーリーを解析し（ステップＳ１）、ストーリー情報及び属性情報を抽出する（ステップＳ２）。抽出したストーリー情報及び属性情報を入力手段１２からデータ管理手段４に入力する（ステップＳ３）。データ管理手段４は、入力されたストーリー情報及び属性情報をデータベースのデータ構造に適応するようにデータ変換し、データベースサーバ３に送る。データベースサーバ３では、データ管理手段４から送られたデータをＤＢＭＳ２によりストーリー検索用データベース１の記憶手段に記憶する（ステップＳ４）。
【００６０】
次に、ストーリー検索用データベースによるストーリー検索について、図５に示すフローチャート、図６，７のデータ例を用いて説明する。
【００６１】
図５（ａ），図６はストーリーのタイトルを検索する動作例を示し、図５（ｂ），図７はタイトル以外にのストーリー情報も検索する動作例を示している。
【００６２】
図５（ａ），図６において、ストーリーのタイトルを検索する場合には、検索キーとして所定の属性情報を設定し（ステップＳ１１）、設定した属性情報に基づいてストーリーのタイトルを抽出し（ステップＳ１２）、抽出したストーリーのタイトルを出力する（ステップＳ１３）。
【００６３】
例えば、図６において、検索Ａの検索キーとして対象者要素から３０代の女性を設定し、感覚要素から情熱を設定した場合には、両方の条件を満足する「メジャーリーグ」のストーリータイトルを検索する。また、検索Ｂの検索キーとして対象者要素から５０代の男性を設定し、感覚要素から忠義を設定した場合には、両方の条件を満足する「忠臣蔵」のストーリータイトルを検索する。
【００６４】
ストーリーのタイトル以外のストーリー情報も検索する場合には、検索キーとして所定の属性情報を設定し（ステップＳ２１）、設定した属性情報に基づいてストーリ情報を抽出し（ステップＳ２２）、抽出したストーリー情報を出力する（ステップＳ２３）。
【００６５】
例えば、図７において、検索Ａの検索キーとして対象者要素から１０代の男性を設定し、感覚要素から熱血漢のキャラクタを設定した場合には、両方の条件を満足する「キャラクタＡ」のキャラクタを検索する。また、検索Ｂの検索キーとして対象者要素から３０代の女性を設定し、感覚要素から情熱のキャラクタを設定した場合には、両方の条件を満足する「キャラクタＢ」のキャラクタを検索する。
【００６６】
このように、検索キーとして属性情報を用いることにより、ストーリーのタイトルの他、ストーリーが備える様々なストーリー情報を検索することができ、対象者や感覚上で設定する所定条件を満足するキャラクタやシーン等を検索することができる。
【００６７】
次に、ストーリー検索装置により複数のストーリー情報が検索される場合に、検索された複数のストーリー情報から、求めるストーリー情報に近い最適なストーリー情報を選出する構成及び手順について説明する。
【００６８】
以下では、複数のストーリー情報から最適なストーリー情報を選出する２つの態様について説明する。
【００６９】
第１の態様は、検索で得られた複数のストーリー情報と求めるストーリー情報との間において、属性情報の一致数を類似度を判定する指標とするものであり、一致する属性情報の個数が多いほど求めるストーリー情報に類似していると判定する。また、属性情報に重要性の優劣を設定し、重要度の高い属性情報に対しては重み付けを行った個数により判定するようにすることもできる。
【００７０】
このストーリー情報の選出の第１の態様は、ストーリー検索用データベースに基づいて、対象者要素に対する感覚要素及び／又はジャンルの対応関係を形成し、検索により読み出した複数のストーリーと求めるストーリーとの間において、同一の対象者要素に対して感覚要素やジャンルの属性情報が一致する個数の和、又は、重み付けした値の和を求め、求めた和の値に基づいて複数のストーリーの中から求めるストーリーに類似したストーリーを選出する。
【００７１】
重み付けは、より重要と考える属性情報の比率を高くするなどの設定により行うことができる。
【００７２】
この態様によれば、一致する個数や重み付けした値が大きい程、求めるストーリー情報との類似度が高いと判断することができる。
【００７３】
図８は第１の態様を説明するためのフローチャートであり、図９〜１１は第１の態様を説明するための対応関係図である。
【００７４】
図８のフローチャートにおいて、検索キーとして所定の属性情報を設定し（ステップＳ３１）、設定した属性情報に基づいてストーリーのタイトルを抽出する（ステップＳ３２）。検索により複数のストーリーが抽出された場合、抽出した複数のストーリーと求めるストーリーとの類似度の指標となる値を算出する。
【００７５】
図９，１０は、抽出した複数のストーリーと求めるストーリーとの間において、同一の対象者要素に対して一致する感覚要素やジャンルの個数の和を類似度の指標とする場合の一例を示している。
【００７６】
図９は、求めるストーリーにおいて、対象者要素に対する感覚要素やジャンルの対応関係を示している。この関係はストーリー検索用のデータベースから求めることができる。図９の例では、対象者要素を４０代と５０代の男女とし、また、ジャンルを動物とする属性情報を定め、この属性情報に対して感覚要素として忠義を備えるストーリーを設定している。
【００７７】
図１０（ａ），（ｂ）は、同一の属性情報を検索キーとして抽出したストーリー（例えば、図２中のＮｏ．５のストーリー候補１）とストーリー（例えば、図２中のＮｏ．２のストーリー候補２）に基づいて形成した対応関係を示している。
【００７８】
図１０（ａ）に示す対応関係によれば、ストーリー候補１は、４０代と５０代の男女の対象者要素に対して忠義の感覚要素が設定され、また、ジャンルとして動物が設定されている。一方、図１０（ｂ）に示す対応関係によれば、ストーリー候補２は、４０代の女と５０代の男女の対象者要素に対して忠義の感覚要素が設定され、また、ジャンルとして仇討ちが設定されている。
【００７９】
求めるストーリーの対応関係（図９に示す）と、検索で求めた候補１（図１０（ａ）に示す）及び候補２のストーリーの対応関係（図１０（ｂ）に示す）との間で、一致する要素の個数を比較すると、候補１の一致数は候補２の一致数よりも多い。したがって、候補１のストーリーは候補２のストーリーよりも求めるストーリーに類似していると判断される。
【００８０】
図１１は、抽出した複数のストーリーと求めるストーリーとの間において、同一の対象者要素に対して一致する感覚要素やジャンルに設定した重み付けの差を求め、その差の総和を類似度の指標とする場合の一例を示している。
【００８１】
図１１（ａ）は、求めるストーリーにおいて、選択された属性情報により設定された検索キーａと検索キーｂの組合せに対して付与された重み付けを示しており、例えば、検索キーａ２と検索キーｂ２の組合せに対して「大」の重み付けを付与し、検索キーａ３と検索キーｂ２の組合せに対して「中」の重み付けを付与し、検索キーａ４と検索キーｂ２の組合せに対して「小」の重み付けを付与している。ここで、「大」、「中」、「小」の重み付けは、例えば１から０の間などの定められた数値範囲内で設定することができる。例えば、「大」の重み付けに対しては０．８の重み付けを付与し、「中」の重み付けに対しては０．５の重み付けを付与し、「小」の重み付けに対しては０．２の重み付けを付与する。なお、重み付けの数値範囲、重み付けの数値、重み付けの段階数は任意に設定することができる。
【００８２】
一方、図１１（ｂ）〜（ｅ）は、検索により得られた候補のストーリーにおいて、選択された属性情報により設定された検索キーａと検索キーｂの組合せに対して付与された重み付けを示している。
【００８３】
求めるストーリーと候補ストーリーとの類似の程度は、対応する重み付けの差の総和に基づいて判定することができる。
【００８４】
例えば、求めるストーリー（図１１（ａ）に示す）と候補ストーリー１（図１１（ｂ）に示す）との間においては、類似の程度をｄ１とすると、
ｄ１＝１−（（大−大）＊２＋（中−中）＊２＋（小−小）＊２）＊１／２…（１）
で表すことができ、
また、求めるストーリー（図１１（ａ）に示す）と候補ストーリー２（図１１（ｃ）に示す）との間においては、類似の程度をｄ２とすると、
ｄ２＝１−（（大−中）＊２＋（中−大）＊２＋（小−小）＊２）＊１／２…（２）
で表すことができる。なお、上記式において、「＊」はべき乗の演算を表してる。候補３，４の類似の程度ｄ３，ｄ４も同様の式で表すことができる。
【００８５】
ここで、「大」の重み付けを０．８とし、「中」の重み付けを０．５とし、「小」の重み付けを０．２とすると、ｄ１の数値は「１」となり、ｄ２の数値は「０．５８」、ｄ３の数値は「０．３３」、ｄ４の数値は「０．５８」となる（ステップＳ３３）。
【００８６】
この数値を類似の程度を示す指標とすることにより、候補ストーリー間の類似の順序を定めることができ（ステップＳ３４）、候補ストーリーを類似順に従って出力することができる（ステップＳ３５）。
【００８７】
図１１に示す例では、候補１のストーリーが求めるストーリーに最も類似していると判定することができる。
【００８８】
なお、上記式は一例であり、重み付けの差の絶対値の総和など、ストーリー間の距離を表す対象者の演算式を用いることができる。
【００８９】
次に、図１２は、検索により得た複数のストーリーと求めるストーリーとの間において、抽出したストーリーの属性情報に付せられた重み付け情報に基づいて、各属性情報の要素毎に評価値を求め、この評価値をストーリーの類似性の指標とする例である。
【００９０】
評価値は、図１２（ａ）に示されるような属性情報の重み付けを表す対応関係式Ｒと対象者要素の行列式により表すことができる。対応関係式Ｒは、対象者要素に対する属性情報の重み付けであり、重み付けを要素とするｍ×ｎの行列式で表すことができ、各ストーリー毎に設定される。なお、ｍは対象者の要素数に対応し、ｎは属性情報の要素数に対応する。この重み付けは、各対象者要素が各属性情報に対して定める評価であり、例えば前記したように「大」，「中」，「小」とし、それぞれ数値あるいはファジイ演算を用いる場合にはメンバーシップ関数を対応付けることができる。
【００９１】
対応関係式Ｒの属性情報は、ストーリー検索用データベースに設定される属性情報の中から評価値を求めようとする属性情報に応じて設定することができる。対象者要素の行例式Ｘは、例えば、年齢層及び性別の組合せを要素とすることができる。また、評価値の行列式Ｋは、評価しようとする属性情報により形成される。
【００９２】
例えば、図１２（ｂ）に示す例では、求める評価値として、（情熱の評価値，熱血漢の評価値，哀愁の評価値，…）を設定した場合を示している。この評価値を求めるために、情熱、熱血漢、哀愁、…等の評価しようとする属性情報の重み付けを用いて対応関係式Ｒ、及び評価しようとする対象者の行列式Ｘを形成し、両者を行列演算する。この行列演算により得られる値は各属性情報の評価値を表しており、行列式Ｋは各ストーリーに対応した評価を表している。
【００９３】
求めるストーリーに類似するストーリーを検索するには、ストーリーに要求する属性情報を設定して対応関係式Ｒを求めると共に、評価したい対象者を設定して対象者の行列式Ｘを求め、これら求めた対応関係式Ｒと対象者の行列式Ｘとを行列演算して評価値の行列式Ｋを算出する。
【００９４】
図１２（ｃ）は数値例を示している。この例によれば、重み付けの「大」，「中」，「小」にそれぞれ０．８，０．５，０．２の数値を対応させ、対象者として１０代の男性と２０代の男性を設定した場合に、情熱に関する評価値Ｋとして１．３（＝０．８＋０．５）が得られる。他の属性情報について同様にして求めることができる。
【００９５】
なお、図１２（ｃ）の数値例では、対象者の行列式Ｘは１×ｍの行列式としているが、ｎ×ｍの行列式とすることで各属性情報毎に評価する対象者を設定することもできる。
【００９６】
一方、候補となるストーリーについても、同じ属性情報を用いて同様の演算を行うことにより評価値の行列式Ｋを算出する。算出した行列式Ｋを比較することにより、候補のストーリーの中から求めるストーリーに類似したストーリーを選択する。このストーリーの比較は、評価値の行列式Ｋの各要素の差の総和によりを用いて行うことができる。ストーリー間の類似性が高い場合には各要素の差の総和は小さくなり、ストーリー間の類似性が低い場合には各要素の差の総和は大きくなる。
【００９７】
なお、本発明は種々のサービスにおいてストーリー性を付与する際に、目的とする対象者に対応したストーリーやストーリー情報を求めることができる。当該サービスとして例えば遊技機があり、検索したストーリーに従って遊技を進行させたり、検索したストーリー情報から登場人物や物を遊技上で用いるキャラクタやアイテム作成のヒントとすることができる。
【００９８】
【発明の効果】本発明によればサービスを利用する対象者に好適なストーリーを検索することができる。
【００９９】
本発明のストーリー検索用データベースによれば、ストーリー情報と感覚情報とを関連付けて格納することにより、検索キーとして対象者が感じる感覚情報を設定することができる。
【０１００】
本発明のストーリー検索用データベース作成装置によれば、ストーリー情報と感覚情報とを関連付けて格納するストーリー検索用データベースを作成することができる。
【０１０１】
本発明のストーリー検索装置によれば、ストーリー検索用データベースを用いて、所望とする印象を与えるストーリーを、感覚情報やジャンル等の属性情報を検索キーとして検索することができる。また、複数のストーリーの候補が検索された場合には、属性情報に付した重み付けを用いて類似性を表す評価値を求め、この評価値を用いて複数のストーリーの順位付けすることができ、所望とするストーリーに近いストーリーを抽出することができる。
【０１０２】
また、この評価において、評価値を求めるために用いる属性情報において、感覚情報や対象者を選択することにより、所望の印象を備えるストーリーや、所望の年齢層に好まれるストーリーを検索することができる。
【０１０３】
【図面の簡単な説明】
【図１】本発明によるストーリー検索用データベース、ストーリー検索用データベース作成装置、及びストーリー検索装置の概略を説明するためのブロック図である。
【図２】本発明のストーリー検索用データベースの一例を示す図である。
【図３】本発明のストーリー検索用データベースにおいて重み付け情報を付加したデータベース例を示す図である。
【図４】本発明のストーリー検索用データベースへのデータ蓄積を説明するためのフローチャートである。
【図５】本発明のストーリー検索用データベースによるストーリー検索を説明するためのフローチャートである。
【図６】本発明のストーリー検索用データベースによるストーリー検索を説明するためのデータ例である。
【図７】本発明のストーリー検索用データベースによるストーリー検索を説明するためのデータ例である。
【図８】本発明のストーリー検索において、複数のストーリー情報から最適なストーリー情報を選出する第１の態様を説明するためのフローチャートである。
【図９】本発明のストーリー検索において、複数のストーリー情報から最適なストーリー情報を選出する第１の態様を説明するための対応関係図である。
【図１０】本発明のストーリー検索において、複数のストーリー情報から最適なストーリー情報を選出する第１の態様を説明するための対応関係図である。
【図１１】本発明のストーリー検索において、複数のストーリー情報から最適なストーリー情報を選出する第１の態様を説明するための対応関係図である。
【図１２】本発明のストーリー検索において、複数のストーリー情報から最適なストーリー情報を選出する第２の態様を説明するための図である。
【符号の説明】
１　ストーリー検索用データベース
２　ＤＢＭＳ
３　データベースサーバ
４　データ管理手段
５　ストーリー用データベース作成装置
６　検索手段
７　ストーリー検索装置
１０　インターネット
１１　ＬＡＮ
１２　入力手段
１３　端末手段
【図１】
2004062654.tif 000003
【図２】
2004062654.tif 000004
【図３】
2004062654.tif 000005
【図４】
2004062654.tif 000006
【図５】
2004062654.tif 000007
【図６】
2004062654.tif 000008
【図７】
2004062654.tif 000009
【図８】
2004062654.tif 000010
【図９】
2004062654.tif 000011
【図１０】
2004062654.tif 000012
【図１１】
2004062654.tif 000013
【図１２】
2004062654.tif 000014